(57)【特許請求の範囲】
【請求項１】
縦方向及び横方向と、肌対向面及びその反対側に位置する非肌対向面と、前ウエスト域及び後ウエスト域のうちの一方である第１ウエスト域と、前記前ウエスト域及び前記後ウエスト域のうちの他方である第２ウエスト域と、前記第１及び第２ウエスト域間に位置するクロッチ域とを有するシャーシを備え、前記第１及び第２ウエスト域の両側縁部を連結して画成されるウエスト開口及び一対のレッグ開口を有するパンツ型の着用物品において、
前記第１ウエスト域には、前記横方向へ伸長状態で収縮可能に配置された複数条のウエスト弾性体が互いに前記縦方向において所与寸法離間して配置されており、
前記第１ウエスト域は、前記肌対向面側において他の領域に比して静摩擦係数の高い高摩擦部を有し、
前記高摩擦部は、前記縦方向において隣接する前記ウエスト弾性体間の離間部分に配置され、かつ、前記ウエスト弾性体と平面視において重なっていないことを特徴とする着用物品。
【請求項２】
前記高摩擦部は、ウエスト開口縁から所与寸法離間して形成される請求項１に記載の着用物品。
【請求項３】
前記高摩擦部の前記ウエスト開口縁からの離間寸法は、３０ｍｍ以上である請求項２に記載の着用物品。
【請求項４】
前記高摩擦部は、レッグ開口縁から３０ｍｍ以上離間して形成される請求項３に記載の着用物品。
【請求項５】
前記高摩擦部の静摩擦係数は、０．４〜１．２である請求項１〜４のいずれかに記載の着用物品。
【請求項６】
前記縦方向において前記高摩擦部に隣接する前記ウエスト弾性体のうち、前記ウエスト開口側に位置する前記ウエスト弾性体の伸長応力は、前記クロッチ域側に位置する前記ウエスト弾性体の伸長応力よりも低い請求項１〜５のいずれかに記載の着用物品。
【請求項７】
前記シャーシは、前記クロッチ域から前記第１及び第２ウエスト域へ延びる吸液性パネルを含み、
前記高摩擦部は、少なくとも前記吸液性パネルの前記横方向の外側に形成される請求項１〜６のいずれかに記載の着用物品。
【請求項８】
前記ウエスト弾性体の前記離間部分の前記縦方向の寸法は、１０ｍｍ以上である請求項１〜７のいずれかに記載の着用物品。
【請求項９】
前記縦方向において前記高摩擦部に隣接する前記ウエスト弾性体と、前記高摩擦部とは、前記縦方向において１．０ｍｍ以上離間している請求項１〜８のいずれかに記載の着用物品。
【発明の詳細な説明】
【技術分野】
【０００１】
本発明は、パンツ型の着用物品に関する。
【背景技術】
【０００２】
従来、着用物品の内面側に他の領域よりも摩擦係数の高い高摩擦部を備えるパンツ型の着用物品は公知である。例えば、特許文献１には、ウエスト開口と一対のレッグ開口とを含むパンツ型の着用物品が開示されており、着用物品のウエスト開口縁部には、複数条のウエスト弾性体が取り付けられ、着用物品の内面側には、高摩擦部材が取り付けられた、
他の領域に比して摩擦係数の高い高摩擦部が配置されている。
【先行技術文献】
【特許文献】
【０００３】
【特許文献１】特開２００６−１３０１４０号公報
【発明の概要】
【発明が解決しようとする課題】
【０００４】
特許文献１に開示された着用物品では、ウエスト弾性体と高摩擦部とが重なって配置されており、ウエスト弾性体によって高摩擦部が着用者の肌に押し当てられることによって、着用時における着用物品のずり下がりを防止している。
【０００５】
かかる着用物品において、例えば、高齢者等の比較的に握力の弱い着用者の場合には、
着用するときに、ウエスト開口から着用物品の内側へ両手を挿入し、手の甲を用いてウエスト開口を拡げて脚をレッグ開口に通し、かかる状態を維持したまま着用物品をウエストまで引き上げて装着することがある。かかる着用動作において、高摩擦部によって着用物品の内面を手の動きに追従させて安定的に引き上げることができる一方、ウエスト弾性体の収縮力によって高摩擦部が手の甲に押し当てられた状態において、該収縮力に抗してウエスト開口を拡げる必要があるため、ウエスト開口を所要の大きさに拡げ難いという問題がある。
【０００６】
そこで、本発明の目的は、従来の技術の改良であって、ウエスト開口を拡げやすく、着用時における引き上げ操作が容易なパンツ型の着用物品の提供にある。
【課題を解決するための手段】
【０００７】
上記課題を達成するために、本発明が対象とするのは、縦方向及び横方向と、肌対向面及びその反対側に位置する非肌対向面と、前ウエスト域及び後ウエスト域のうちの一方である第１ウエスト域と、前記前ウエスト域及び前記後ウエスト域のうちの他方である第２ウエスト域と、前記第１及び第２ウエスト域間に位置するクロッチ域とを有するシャーシを備え、前記第１及び第２ウエスト域の両側縁部を連結して画成されるウエスト開口及び一対のレッグ開口を有するパンツ型の着用物品である。
【０００８】
本発明は、上記着用物品において、前記第１ウエスト域には、前記横方向へ伸長状態で収縮可能に配置された複数条のウエスト弾性体が互いに前記縦方向において所与寸法離間して配置されており、前記第１ウエスト域は、前記肌対向面側において他の領域に比して静摩擦係数の高い高摩擦部を有し、前記高摩擦部は、前記縦方向において隣接する前記ウエスト弾性体間の離間部分に配置され、かつ、前記ウエスト弾性体と平面視において重なっていないことを特徴とする。
【発明の効果】
【０００９】
本発明に係るパンツ型の着用物品によれば、第１ウエスト域は、肌対向面側において他の領域と比して摩擦係数が高い高摩擦部を有し、高摩擦部は、隣接するウエスト弾性体の間の離間部分に配置され、かつ、ウエスト弾性体と平面視において重なっていないため、高摩擦部にウエスト弾性体の収縮力が直接的に作用せず、手の甲を用いてウエスト開口を拡げる際、ウエスト弾性体の収縮力によって高摩擦部が手の甲に押し当てられることがなく、ウエスト開口を拡げやすい。また、ウエスト開口を拡げた状態では、隣接するウエスト弾性体の間に形成された高摩擦部が手の甲に接触して、着用物品が手の甲からずれ落ちることを防止できるため、着用物品の引き上げ操作が容易である。
【図面の簡単な説明】
【００１０】
図面は、本発明の特定の実施の形態を示し、発明の不可欠な構成ばかりでなく、選択的及び好ましい実施の形態を含む。
【図１】本発明に係るパンツ型の着用物品の一例として示すパンツ型の使い捨ておむつの斜視図。
【図２】各弾性体の最大伸長時（弾性材料の収縮作用によるギャザーがなくなる程度）まで縦方向及び横方向に伸展したおむつの一部破断展開平面図。
【図３】おむつの一部破断分解斜視図。
【図４】前ウエスト域の平面図。
【図５】後ウエスト域の平面図。
【図６】おむつのウエスト開口を手の甲を用いて開いた状態を示す説明図。
【図７】図１のＶＩＩ−ＶＩＩ線に沿う模式的断面図。
【図８】（ａ）図６のＶＩＩＩ−ＶＩＩＩ線に沿う模式的断面図。（ｂ）おむつの着用時における着用者の身体と高摩擦部の位置関係を示す説明図。
【図９】（ａ）おむつの着用時における着用者の身体と高摩擦部の位置関係を示す説明図。（ｂ）おむつの着用時における着用者の身体と高摩擦部の位置関係を示す説明図。
【図１０】おむつの他の実施形態を示す図４と同様の平面図。
【図１１】おむつの他の実施形態を示す図５と同様の平面図。
【図１２】おむつの変形例を示す展開平面図。
【発明を実施するための形態】
【００１１】
＜第１実施形態＞
図１〜３を参照すると、本発明の第１実施形態に係るパンツ型の着用物品の一例である使い捨ておむつ１０は、その幅寸法を二等分する縦中心線Ｐ及びその長さ寸法を二等分する横中心線Ｑと、縦中心線Ｐに沿う縦方向Ｙ及び横中心線Ｑに沿う横方向Ｘとを有し、肌対向面及びその反対側に位置する非肌対向面とを有するシャーシ１１を含む。図２において、後述する各弾性体は、横方向Ｘ及び縦方向Ｙへの収縮力によって各弾性体が取り付けられた部材に生じたギャザーが、自然な視覚によって実質的に無くなっているように見える程度にまで伸長された状態にある。
【００１２】
＜シャーシ＞
シャーシ１１は、縦中心線Ｐに関して対称に形成されており、前ウエスト域１２と、後ウエスト域１３と、前後ウエスト域１２，１３の間に位置するクロッチ域１４とを有する。また、シャーシ１１は、前後ウエスト域１２，１３を画成してウエスト周り方向へ延びる環状の弾性ウエストパネル１５と、クロッチ域１４から前後ウエスト域１２，１３へ延び、弾性ウエストパネル１５の肌対向面側に取り付けられた吸液性パネル１６とを含み、弾性ウエストパネル１５の肌対向面側には、横方向Ｘへ延びる高摩擦部２０が形成されている。
【００１３】
＜弾性ウエストパネル＞
図２を参照すると、弾性ウエストパネル１５は、前ウエスト域１２に位置する前ウエストパネル１８と、後ウエスト域１３に位置する後ウエストパネル１９とを含む。前後ウエストパネル１８，１９は、吸液性パネル１６の前後端部１６Ａ，１６Ｂとそれぞれ交差し、横方向Ｘへ延びる中間内端縁１８ａ，１９ａと、縦方向Ｙにおいて中間内端縁１８ａ，１９ａと離間対向して横方向Ｘへ延びる外端縁１８ｂ，１９ｂと、外端縁１８ｂ，１９ｂから縦方向Ｙへ延びる両外側縁１８ｃ，１９ｃと、両外側縁１８ｃ，１９ｃと中間内端縁１８ａ，１９ａとをつなぐ凹曲状の両内側縁１８ｄ，１９ｄとによって、略台形状に形成される。前後ウエストパネル１８，１９は、それぞれ、横方向Ｘにおいて吸液性パネル１６が配置される中央部２２Ａ，２３Ａと、吸液性パネル１６の横方向Ｘ外側に位置する両側部２２Ｂ，２３Ｂとを有する。前ウエストパネル１８の両外側縁１８ｃと後ウエストパネル１９の両外側縁１９ｃとは、互いに重ね合わされて、縦方向Ｙへ断続的に延びるシーム部２４によって連結されることによってウエスト開口２５及び一対のレッグ開口２６が画定される。シーム部２４では、熱又は超音波によるエンボス加工によって互いに重なり合うシートが融着される。本実施形態において、前後ウエスト域１２，１３は、シーム部２４によってその両側縁部が連結されるものである。
【００１４】
図３を参照すると、前後ウエストパネル１８，１９は、肌対向面側に位置する内層シート３０，３１と、非肌対向面側に位置する外層シート３２，３３と、横方向Ｘへ延びる複数条のストリング状又はストランド状の弾性材料から形成されており、内外層シート３０，３１，３２，３３の間においてホットメルト接着剤を介して伸長状態で収縮可能に取り付けられた前後ウエスト弾性体（ウエスト弾性体）３４，３５とを有し、後ウエストパネル１９は、更に、臀部弾性体３６を有する。臀部弾性体３６は、後ウエスト域１３の両側縁部からレッグ開口縁に沿ってクロッチ域１５まで延びる複数条のストリング状又はストランド状の弾性材料から形成され、内外層シート３０，３１，３２，３３の間においてホットメルト接着剤を介して伸長状態で収縮可能に取り付けられる。
【００１５】
図４を参照すると、前ウエストパネル１８には、前ウエスト弾性体３４が配設された、ウエスト開口縁側であって吸液性パネル１６の縦方向Ｙ外側に位置して横方向Ｘへ連続して延びる第１前ウエスト弾性域３８Ａと、前ウエスト域１２のクロッチ域１４側において、横方向Ｘにおいて互いに離間対向して位置する一対の弾性域からなる、前ウエスト弾性体３４が配設された第２前ウエスト弾性域３８Ｂとを有する。より具体的には、前ウエスト域１２は、吸液性パネル１６の前端縁１７ａよりも縦方向Ｙの外側に位置する第１前ウエスト弾性域３８Ａと、該前端縁１７ａよりも縦方向Ｙの内側に位置する第２前ウエスト弾性域３８Ｂとに区分される。
【００１６】
第１前ウエスト弾性域３８Ａを形成する前ウエスト弾性体３４間（具体的には、第１前ウエスト弾性域３８Ａにおいて、最もクロッチ域１４側に位置する前ウエスト弾性体３４ｂとそれに隣接する（隣り合う）前ウエスト弾性体３４ａとの間）に位置する離間部分（すなわち、弾性材料である前ウエスト弾性体３４の非配置領域）には、平面視において前ウエスト弾性体３４と重ならないように、前高摩擦部２８（高摩擦部２０）が配置される。
【００１７】
図５を参照すると、後ウエストパネル１９は、後ウエスト弾性体３５が配設された、ウエスト開口縁側であって吸液性パネル１６の縦方向Ｙ外側に位置して横方向Ｘへ連続して延びる第１後ウエスト弾性域３９Ａと、後ウエスト域１３のクロッチ域１４側において横方向Ｘにおいて互いに離間対向して位置する一対の弾性域からなる、後ウエスト弾性体３５が配設された第２後ウエスト弾性域３９Ｂと、臀部弾性体３６が配置された臀部弾性域３９Ｃとを有する。より具体的には、後ウエスト域１３は、吸液性パネル１６の後端縁１７ｂよりも縦方向Ｙの外側に位置する第１後ウエスト弾性域３９Ａと、該後端縁１７ｂよりも縦方向Ｙの内側に位置する第２後ウエスト弾性域３９Ｂとに区分される。
【００１８】
臀部弾性域３９Ｃは、後ウエスト域１３からクロッチ域１４に亘って形成され、臀部弾性域３９Ｃの一部は、第２後ウエスト弾性域３９Ｂと平面視において重なっている。第１後ウエスト弾性域３９Ａを形成する後ウエスト弾性体３５間（具体的には、第１後ウエスト弾性域３９Ａにおいて、最もクロッチ域１４側に位置する後ウエスト弾性体３５ｂとそれに隣接する（隣り合う）後ウエスト弾性体３５ａとの間）に位置する離間部分（すなわち、弾性材料である後ウエスト弾性体３５の非配置領域）には、平面視において後ウエスト弾性体３５と重ならないように、後高摩擦部２９（高摩擦部２０）が配置される。
【００１９】
前ウエスト域１２において、第２前ウエスト弾性域３８Ｂに配置される前ウエスト弾性体３４は、横方向Ｘにおいて吸液性パネル１６と重なり、平面視において吸液性パネル１６と重なる部位には、前ウエスト弾性体３４の収縮力が実質的に作用しない非弾性域が形成される。また、後ウエスト域１３において、第２後ウエスト弾性域３９Ｂに配置される後ウエスト弾性体３５は、横方向Ｘにおいて吸液性パネル１６と重なり、平面視において吸液性パネル１６と重なる部位には、後ウエスト弾性体３５の収縮力が実質的に作用しない非弾性域が形成される。臀部弾性域３９Ｃにおいて、複数条の臀部弾性体３６と吸液性パネル１６とが平面視において重なる部位には、臀部弾性体３６の収縮力が作用しない非弾性域が形成される。
【００２０】
前後ウエスト域１２，１３及びクロッチ域１４に位置する各非弾性域は、その両側に位置する弾性域を構成する弾性体３４，３５，３６が切断又は除去されていることの他に、その収縮力が実質的に発現しないような態様で一部が配置されている場合を含む。このように、各弾性体３４，３５，３６が吸液性パネル１６の中央部と重ならないように配置されていることによって、それらの収縮力によって吸液性パネル１６の吸液性能を低下させるようなギャザーや変形が生じるのを抑制することができる。また、非弾性域の横方向Ｘの両外側において、前後ウエスト弾性体３４，３５及び臀部弾性体３６の一部は平面視において吸液性パネル１６と重なっており、該弾性体３４，３５，３６の収縮作用によって吸液性パネル１６の中央部を横方向Ｘに拡げることができる。
【００２１】
前後ウエストパネル１８，１９を構成する各種のシート、すなわち、内外層シート３０，３１，３２，３３は、例えば、質量約１５〜３０ｇ／ｍ２の疎水性のスパンボンド不織布、ＳＭＳ（スパンボンド・メルトブローン・スパンボンド）繊維布、プラスチックフィルム又はそれら不織布の少なくとも一つとのラミネートシート等から形成することができる。互いに積層されたシートは、少なくともいずれか一方の内面に間欠的に塗布されたホットメルト接着剤等の公知の接合手段によって接合される。前後ウエストパネル１８，１９は、通気性を有することが好ましい。
【００２２】
前後ウエスト弾性体３４，３５及び臀部弾性体３６は、繊度が約３５０〜１２５０ｄｔｅｘであって、収縮又は弛緩された状態から約１．８〜３．５倍に伸長されたストリング状又はストランド状の弾性材料から形成することができる。但し、各弾性体の繊度や伸長倍率は所要の収縮力や伸長応力に応じて適宜変更することができる。前後ウエスト域１２，１３に前後ウエスト弾性体３４，３５が配置されることによって、その外面には複数のギャザー５１が形成され、全体としてギャザーリングされている。本実施形態において、前後ウエスト弾性体３４ａ，３５ａは、繊度及び伸長倍率が等しい同一の弾性材料から形成されており、前後ウエスト弾性体３４ｂ，３５ｂは、繊度及び伸長倍率が等しい同一の弾性材料から形成されている。
【００２３】
＜吸液性パネル＞
図２を参照すると、吸液性パネル１６は、縦長の略矩形状であって、前ウエストパネル１８の肌対向面と連結された前端部１６Ａと、後ウエストパネル１９の肌対向面と連結された後端部１６Ｂと、前後端部１６Ａ，１６Ｂ間において縦方向Ｙへ延び、クロッチ域１４の一部を形成する中間部１６Ｃとを有する。
【００２４】
図３を参照すると、吸液性パネル１６は、透液性の身体側ライナ４０と、それに身体側が被覆された吸収体４１と、吸収体４１の非肌対向面側に位置する疎水性の被覆シート４２とを含む。身体側ライナ４０は、例えば、質量約１５〜２５ｇ／ｍ２の親水化処理されたスパンボンド繊維不織布、ＳＭＳ繊維不織布等から形成することができる。吸収体４１は、フラッフ木材パルプや超吸収性ポリマー粒子等の吸収性・離散材料から形成された吸液性コアと、吸液性コアの全体を包被する質量約１０〜２０ｇ／ｍ２のティッシュペーパ等から形成された透液性のコアラップシートとを有する。被覆シート４２は、質量約１０〜２０ｇ／ｍ２の疎水性のＳＭＳ繊維不織布やスパンボンド不織布等から形成される。被覆シート４２と吸収体４１との間には、質量約１０〜２５ｇ／ｍ２の通気性を有するプラスチックフィルムから形成された防漏シート４３が配置される。
【００２５】
被覆シート４２の両側部４７は、内方へ向かって折り曲げられて、その前端部及び後端部が接合部を介して、被覆シートの両側部４７間に位置する中央部及び／又は身体側ライナ４０に固定されている。両側部４７には、縦方向Ｙへ延びる、繊度が約４００〜８００ｄｔｅｘであって、収縮又は弛緩された状態から約２．０〜３．０倍に伸長された複数条のストリング状又はストランド状の弾性材料から形成されたカフ弾性体４６が配置される。おむつ１０の着用状態において、両側部４７は、カフ弾性体４６の収縮作用によって着用者の身体側へ起立するバリアカフを形成する。
【００２６】
＜高摩擦部＞
図４及び図５を参照すると、既述の通り、前後ウエストパネル１８，１９の肌対向面側であって、縦方向Ｙにおいて隣接する前ウエスト弾性体３４ａ，３４ｂ間及び縦方向Ｙにおいて隣接する後ウエスト弾性体３５ａ，３５ｂ間に位置する前後ウエスト弾性体３４，３５の非配置領域には、平面視において前後ウエスト弾性体３４，３５と重ならないように、前後高摩擦部２８，２９（高摩擦部２０）が配置される。前後高摩擦部２８，２９は、それぞれ、前後ウエスト域１２，１３の両外側縁１８ｃ，１９ｃ間において、横方向Ｘに連続して延びる一条の帯状を有する。
【００２７】
高摩擦部２０は、各種公知のシート材料、例えば、ポリウレタンエラストマやポリプロピレンエラストマ等のオレフィン系エラストマ等、エラストマ材料からなる高摩擦部材を用いることができる。高摩擦部材の厚さは、約０．０５〜１．０ｍｍであることが好ましい。高摩擦部材は、前後ウエストパネル１８，１９の内面に、ホットメルト接着剤を介して取り付けられる。高摩擦部材を固定するためのホットメルト接着剤は、その内面全体に各種公知の塗布パターンで塗布されているものであって、柔軟性を確保するために、間欠的に塗布されていることが好ましい。また、高摩擦部材の内側縁及び外側縁（高摩擦部２０の内側縁２０ａ及び外側縁２０ｂ）は、前後ウエスト弾性体３４，３５の収縮力が作用しないように、前後ウエストパネル１８，１９に固定されていなくてもよい。また、高摩擦部２０はシャーシ１１の肌対向面、すなわち内層シート３０，３１の肌対向面に塗布したホットメルト接着剤によって形成することもできる。
【００２８】
本実施形態ではシーム部２４において前高摩擦部２８と後高摩擦部２９とが連結されている。前後高摩擦部２８，２９は、シーム部２４の近傍において互いに分離していてもよいが、それらが連結されて高摩擦部２０がウエスト周りに沿って環状に形成されることで、図６に示すように着用者が手の甲を用いてウエスト開口２５を拡げる際に、手の甲を確実に高摩擦部２０に接触させることができる。また、このように、ウエスト周りに一連に延びる場合には、前高摩擦部２８と後高摩擦部２９とを単一の高摩擦部材から形成してもよい。
【００２９】
高摩擦部２０の摩擦係数は、シャーシ１１の肌対向面側における他の領域（高摩擦部２０の非存在領域）と比較して高くなっている。具体的には、高摩擦部２０の肌対向面側における静摩擦係数（μｓ）が０．３５〜１．００に設定される。静摩擦係数が０．３５未満の場合、おむつ１０を引き上げる際、着用者の手の動きに対して十分に追従できず、おむつ１０が手の甲からずり下がるおそれがある。また、静摩擦係数が１．００を超える場合、おむつ１０を装着した状態において、着用者の肌が高摩擦部２０に接触したときに違和感を与えるおそれがある。
【００３０】
図７は、図１のＶＩ−ＶＩ線に沿う模式的断面図である。図８（ａ）は、図６のＶＩＩＩ−ＶＩＩＩ線に沿う模式的断面図であって、おむつ１０の着用操作時における高摩擦部２０と着用者の手の甲５２との位置関係を示す説明図である。図８（ｂ）は、おむつ１０の着用時における高摩擦部２０と着用者の身体である腰部５３との位置関係を示す説明図であり、具体的には、図６のＶＩＩＩ−ＶＩＩＩ線断面に沿う位置における高摩擦部２０と腰部５３との位置関係を示している。
【００３１】
図７を参照すると、おむつ１０の各弾性材料が収縮又は弛緩された状態において、高摩擦部２０にはギャザー５０（図１参照）が形成され、高摩擦部２０の一部が隣接する前ウエスト弾性体３４ａ，３４ｂに対しておむつ１０の外側に僅かに突出した状態にある。図７の仮想線で示すように、手の甲５２によっておむつ１０の開口を拡げる前の状態では、外側に突出した高摩擦部２０が手の甲と接触していない。
【００３２】
図８（ａ）を参照すると、着用操作において、着用者が矢印Ｆの方向へ手を動かし、手の甲５２を用いてウエスト開口２５を押し拡げた状態では、隣接する前ウエスト弾性体３４ａ，３４ｂの伸長に伴って高摩擦部２０のギャザー５０が徐々に消失していくとともに、高摩擦部２０において外側に突出した部分が手の甲５２に接触するようになり、そのため、高摩擦部２０の手の甲５２に対する接触面積が大きくなる。図８（ｂ）を参照すると、おむつ１０の着用状態では、着用操作時に比して前ウエスト弾性体３４が弛緩した状態にあり、高摩擦部２０の一部が着用者の腰部５３に接触しているが、前ウエスト弾性体３４によって腰部５３に押し当てられることがないため接触面積は比較的小さくなる。
【００３３】
このように、高摩擦部２０が前ウエスト弾性体３４と重ならないように前ウエスト弾性体３４ａ，３４ｂの離間部分に配置されていることにより、手の甲５２を用いてウエスト開口２５を押し拡げるときに、前ウエスト弾性体３４の収縮力によって高摩擦部２０が手の甲５２に押し当てられることがなく、ウエスト開口２５を拡げやすい。また、ウエスト開口２５を拡げた状態では、高摩擦部２０が手の甲５２に接触して、おむつ１０がずれ落ちることを防止でき、引き上げ操作が容易である。特に、ウエスト開口２５が拡がってギャザー５０が引き伸ばされた状態では、高摩擦部２０の手の甲５２に対する接触面積が大きくなり、ずり下がりを防止する効果が一層高くなる。かかる効果を奏するために、高摩擦部２０が弾性素材を含む場合には、隣接する前ウエスト弾性体３４よりも低い伸長倍率で伸長された状態又は非伸長状態（弛緩状態）で取り付けられることが好ましい。なお、おむつ１０の脱衣操作においても同様に、高摩擦部２０によっておむつ１０が手の甲５２からずれ落ちることを防止することができる。
【００３４】
図８（ｂ）を参照すると、おむつ１０の着用状態では、高摩擦部２０にギャザー５０が形成されており、高摩擦部２０が比較的に広い面積で肌に接触することがないため、着用者に違和感を与えることを抑制することができる。高摩擦部がウエスト弾性体と重なって配置されているおむつでは、おむつの着用状態において、高摩擦部がウエスト弾性体によって着用者の肌に押し当てられ、着用者が違和感を覚えやすくなるが、本実施形態のおむつ１０では、高摩擦部２０がウエスト弾性体３４，３５と重なっていないため、着用状態における違和感を低減できる。また、高摩擦部２０にギャザー５０が形成されることで、高摩擦部２０が非通気性の素材で形成されている場合であっても着用時における通気性を向上することができる。なお、図７，８では、前ウエスト域１２側における高摩擦部２０と着用者の身体との位置関係を示しているが、後ウエスト域１３側においても同様の作用・効果を奏する。
【００３５】
このような高摩擦部２０は、図２に示す各弾性体の最大伸長時の状態において、ウエスト開口縁から所与寸法離間して配置されていることが好ましく、ウエスト開口縁からの離間寸法Ｒ１は、約３０ｍｍ以上であることが好ましい。また、高摩擦部２０は、レッグ開口縁から所与寸法離間して配置されることが好ましく、レッグ開口縁からの離間寸法（すなわち、レッグ開口縁と、レッグ開口縁に最も近接する高摩擦部２０との離間距離）Ｒ２は、約３０ｍｍ以上であることが好ましい。ウエスト開口縁から３０ｍｍ未満の範囲内に高摩擦部２０が配置されている場合、前ウエスト弾性体３４の伸長力が低減されてウエスト開口２５を拡げるために大きな力が必要となり、握力が弱い着用者にとっておむつ１０の着脱操作が困難になる。また、高摩擦部２０をウエスト開口縁から所与寸法離間して配置することによって、両手でウエスト開口部を掴んで引っ張り上げるときに、指先が高摩擦部２０に接触し、滑り止めとして機能しうる。レッグ開口縁から３０ｍｍ未満の範囲内に高摩擦部２０が配置されている場合、着脱操作の際に高摩擦部２０が着用者の脚に触れやすくなるため、違和感を与えたり、体毛を巻き込んで不快感を与えたりするおそれがある。
【００３６】
高摩擦部２０が配置されている前後ウエスト弾性体３４，３５の離間部分の縦方向Ｙにおける寸法Ｒ３は、約１０ｍｍ以上であることが好ましく、本実施形態では約２５ｍｍである。寸法Ｒ３を１０ｍｍ以上とすることで、離間部分にギャザー５０が形成されやすくなって、着用状態において肌に違和感を与えることを低減することができる。寸法Ｒ３は、第１及び第２前後ウエスト弾性域３８Ａ，３８Ｂ，３９Ａ，３９Ｂにおいて縦方向Ｙに並ぶ複数の離間部分のうち、高摩擦部２０が配置されない離間部分の縦方向Ｙにおける寸法よりも大きいことが好ましい。手の甲からのずれ落ちを効果的に防止するために、高摩擦部２０の縦方向Ｙの寸法Ｗ２は、約５．０ｍｍ以上であることが好ましく、本実施形態では約１５ｍｍである。また、高摩擦部２０と、それに隣接するウエスト弾性体、すなわち前後ウエスト弾性体３４ａ，３４ｂ，３５ａ，３５ｂとの離間寸法Ｒ４は、約１．０ｍｍ以上であることが好ましく、約３．０ｍｍ以上であることがより好ましい。本実施形態において離間寸法Ｒ４は約４．０ｍｍである。離間寸法Ｒ４を０．５ｍｍ以上とすることで、高摩擦部２０が前後ウエスト弾性体３４ａ，３４ｂ，３５ａ，３５ｂの影響を受けにくくなり、ウエスト開口２５をより拡げやすくすることができるとともに、ギャザー５０が形成された状態において、高摩擦部２０の一部がおむつ１０の外側に突出した状態になりやすい。
【００３７】
縦方向Ｙにおいて高摩擦部２０に隣接する前後ウエスト弾性体３４ａ，３４ｂ，３５ａ，３５ｂのうち、ウエスト開口２５側に位置する前ウエスト弾性体３４ａの伸長応力は、クロッチ域１４側に位置する前ウエスト弾性体３４ｂの伸長応力よりも低いことが好ましく、ウエスト開口２５側に位置する後ウエスト弾性体３５ａの伸長応力は、クロッチ域１４側に位置する後ウエスト弾性体３５ｂの伸長応力よりも低いことが好ましい。本実施形態では、前後ウエスト弾性体３４ａ，３５ａの伸長応力が０．６Ｎであり、前後ウエスト弾性体３４ｂ，３５ｂの伸長応力が０．８Ｎである。
【００３８】
かかるおむつ１０では、クロッチ域１４側の前後ウエスト弾性体３４ｂ，３５ｂに比してウエスト開口２５側の前後ウエスト弾性体３４ａ，３５ａ伸長応力が低いため、ウエスト開口２５をより拡げやすくすることができる。更に、おむつ１０の着用状態において、クロッチ域１４側の前後ウエスト弾性体３４ｂ，３５ｂよりもウエスト開口２５側の前後ウエスト弾性体３４ａ，３５ａの伸長応力が高い場合には、前後ウエスト弾性体３４ａ，３５ａに比して前後ウエスト弾性体３４ｂ，３５ｂの方が、着用者の動作によってずり下がりやすくなり（図９（ａ）参照）、高摩擦部２０が着用者の肌に触れやすくなるが、ウエスト開口２５側の前後ウエスト弾性体３４ａ，３５ａよりもクロッチ域１４側のウエスト弾性体３４ｂ，３５ｂの伸長応力の方が高い場合には、前後ウエスト弾性体３４ｂ，３５ｂに比して前後ウエスト弾性体３４ａ，３５ａの方が、着用者の動作によってずり下がりやすくなって（図９（ｂ）参照）、高摩擦部２０を着用者の肌に触れ難くすることができ、肌に違和感を与えることを抑制することができる。
【００３９】
高摩擦部２０は、透明、半透明又はシャーシ１１と同一色に形成することができる。このような配色にすることで、高摩擦部２０の存在が視認され難くなって下着のような外観を呈することができる。また、高摩擦部２０をシャーシ１１と異なる色に着色して、おむつの外面側から視認可能にすることもできる。高摩擦部２０を着色することで、着脱操作において高摩擦部２０の位置がおむつ１０の外面側から確認しやすくなり、容易に手の甲に接触させることができる。また、高摩擦部２０は、肌との接触面積を調整するために、複数のスリットが設けられていてもよい。高摩擦部２０に設けられるスリットは、縦方向Ｙに延びることが好ましい。かかる場合には、高摩擦部２０を形成する高摩擦部材を弾性材料から形成し、かつ、通気性を有するシート部材から弾性ウエストパネル１５を形成することによって、着用状態において高摩擦部２０がウエスト周り方向へ伸長されてスリットが大きくなり、内部の空気を外部に排出して蒸れを抑制するための通気孔としても機能しうる。
【００４０】
＜静摩擦係数の測定方法＞
静摩擦係数の測定器として新東科学 株式会社製 ＨＥＩＤＯＮ  トライポギア
ミューズ  ＴＹＰＥ９４ｉを使用した。試片として、弾性材料によるギャザーがなくなる程度にまで伸長した状態において、縦方向Ｙの寸法が５０ｍｍ、横方向Ｘの寸法が５０ｍｍの正方形ものを高摩擦部２０の存在領域と非存在領域のそれぞれについて用意し、該伸長した状態における肌対向面の縦方向Ｙについての静摩擦係数を求めた。
【００４１】
＜伸長応力の測定方法＞
高摩擦部２０に隣接する前後ウエスト弾性体３４ａ，３４ｂ，３５ａ，３５ｂの伸長応力は、引張試験機（インストロン社製）を用いて引張スピード３００ｍｍ／ｍｉｎの条件下において測定する。まず、前後ウエスト域１２，１３において、所定幅（具体的には、各ウエスト弾性体３４ａ，３４ｂ，３５ａ，３５ｂの縦方向Ｙの両側の外方において、約２ｍｍ幅を有するもの。）を有する各ウエスト弾性体３４ａ，３４ｂ，３５ａ，３５ｂが配設された伸縮域をそれぞれ切り取り（ただし、高摩擦部２０及び吸液性パネル１６は取り除く）、試験片とする。試験片を引張試験機のチャック間（初期のチャック間距離は１００ｍｍとする）に収縮した状態で固定し、ウエスト弾性体の最大伸長時（ウエスト弾性体が取り付けられた部材に生じたギャザーが自然な視覚によって実質的に無くなっているように見える程度にまで伸長された状態）における長さ寸法を測定し、これを最大寸法（１００％）とする。その後、温度２０℃、湿度６０％の条件下で、試験片をウエスト弾性体が弛緩した状態で４８時間放置する。４８時間経過した後、試験片を最大寸法の８５％の寸法まで伸長させ、その後、最大寸法の７５％の寸法まで戻し、この時点における応力を測定し、この測定値を各ウエスト弾性体３４ａ，３４ｂ，３５ａ，３５ｂの伸長応力とした。
【００４２】
＜第２実施形態＞
図１０及び図１１は、本願の第２実施形態に係る図４及び図５と同様の平面図である。本実施形態に係るおむつ１０は、第１実施形態に係るそれと基本的構成が同一であるので、相違する点についてのみ以下に説明する。
【００４３】
本実施形態における高摩擦部２０は、前ウエストパネル１８の両側部２２Ｂに位置する第１前高摩擦部６１ａ，６１ｂ及び第２前高摩擦部６２ａ，６２ｂと、後ウエストパネル１９の両側部２３Ｂに位置する第１後高摩擦部６３ａ，６３ｂ及び第２後高摩擦部６４ａ，６４ｂとを含む。
【００４４】
第１及び第２前高摩擦部６１ａ，６１ｂ，６２ａ，６２ｂは、それぞれ、第１及び第２前ウエスト弾性域３８Ａ，３８Ｂに配置された前ウエスト弾性体３４の間の離間部分６５，６６に横方向Ｘに延びて前ウエスト弾性体３４と重ならないように配置されており、第１前高摩擦部６１ａ，６１ｂは、第２前高摩擦部６２ａ，６２ｂよりもウエスト開口２５側に位置する。第１及び第２後高摩擦部６３ａ，６３ｂ，６４ａ，６４ｂは、それぞれ、第１及び第２後ウエスト弾性域３９Ａ，３９Ｂに配置された後ウエスト弾性体３５の間の離間部分６７，６８に横方向Ｘに延びて後ウエスト弾性体３５と重ならないように配置されており、第１後高摩擦部６３ａ，６３ｂは、第２後高摩擦部６４ａ，６４ｂよりもウエスト開口２５側に位置する。第１前高摩擦部６１ａ，６１ｂと第１後高摩擦部６３ａ，６３ｂとはシーム部２４において互いに連結され、第２前高摩擦部６２ａ，６２ｂと第２後高摩擦部６４ａ，６４ｂとはシーム部２４において互いに連結される。なお、第２前後高摩擦部６２ａ，６２ｂ，６４ａ，６４ｂは平面視において臀部弾性体３６と重なっていない。
【００４５】
高摩擦部２０は、ウエスト開口縁及びレッグ開口縁から所与寸法離間して配置されていることが好ましく、ウエスト開口縁と高摩擦部２０の離間寸法Ｒ１（すなわち、ウエスト開口縁からウエスト開口縁に最も近接する第１前後高摩擦部６１ａ，６１ｂ，６３ａ，６３ｂまでの離間寸法Ｒ１）が約３０ｍｍ以上、レッグ開口縁と高摩擦部２０の離間寸法Ｒ２（すなわち、レッグ開口縁からレッグ開口縁に最も近接する第２前後高摩擦部６２ａ，６２ｂ，６４ａ，６４ｂまでの離間寸法Ｒ２）が約３０ｍｍ以上であることが好ましい。また、高摩擦部２０が配置されている前後ウエスト弾性体３４，３５の離間部分６５，６６，６７，６８の縦方向Ｙにおける寸法Ｒ３は、それぞれ約１０ｍｍ以上であることが好ましい。各高摩擦部６１ａ−６４ｂの縦方向Ｙの寸法は約５．０ｍｍ以上であって、隣接する前後ウエスト弾性体３４，３５から約１．０ｍｍ以上離間していることが好ましい。
【００４６】
第２実施形態のおむつ１０では、前後ウエスト弾性体３４，３５の離間部分６５−６８に前後ウエスト弾性体３４，３５と重ならないように高摩擦部２０が配置されているため、第１実施形態と同様の技術的効果を奏することができる。更に、高摩擦部２０が吸液性パネル１６の横方向Ｘの外側に位置する前後ウエストパネル１８，１９の両側部２２Ｂ，２３Ｂに配置されているため、高摩擦部２０が手の甲に当たりやすく、中央部２２Ａ，２３Ａに高摩擦部２０を配置しないことで着用状態における高摩擦部２０の肌への接触を低減し、着用感を良好にすることができる。特に、中央部２２Ａには着用者の腹部が接触するため、高摩擦部２０が配置されている場合には違和感を与えやすいが、本実施形態では高摩擦部２０が配置されていないため、良好な着用感を得ることができる。また、平面視において吸液性パネル１６と重なる領域、特に吸収体４１と重なる領域に、高摩擦部２０が配置されていると、高摩擦部２０によって吸収体４１への体液の吸収が抑制されるが、吸液性パネル１６と重なっていないことで、かかる事態を防止することができる。なお、第１前後高摩擦部６１ａ，６１ｂ，６３ａ，６３ｂ及び第２前後高摩擦部６２ａ，６２ｂ，６４ａ，６４ｂは、シーム部２４において連結されることなく、互いに分離する構成であってもよい。本実施形態のように第１及び第２前後高摩擦部６１ａ−６４ｂがシーム部２４において互いに連結されることで、両側部２２Ｂ，２３Ｂにおいて高摩擦部２０がウエスト周り方向へ一連に延びて、より手の甲に接触させやすくすることができる。
【００４７】
本実施形態では、第１前後ウエスト弾性域３８Ａ，３９Ａと第２前後ウエスト弾性域３８Ｂ，３９Ｂに高摩擦部２０が形成されているが、高摩擦部２０は前後ウエスト域１２，１３において、中央部２２Ａ，２３Ａを除く領域に配置されていればよく、例えば、両側部２２Ｂ，２３Ｂにおいて、第１前後ウエスト弾性域３８Ａ，３９Ａ又は第２前後ウエスト弾性域３８Ｂ，３９Ｂのみに高摩擦部２０が配置される構成や、第１前後ウエスト弾性域３８Ａ，３９Ａと第２前後ウエスト弾性域３８Ｂ，３９Ｂとの境界に位置する各ウエスト弾性体３４，３５の離間部分７０，７１に高摩擦部２０が配置される構成であってもよい。また、本実施形態では、前後ウエスト域１２，１３のそれぞれにおいて、縦方向Ｙに並ぶ二つ離間部分６５，６６，６７，６８にそれぞれ高摩擦部２０が形成されているが、高摩擦部２０は一以上の離間部分に形成されていればよく、例えば、第１前後高摩擦部６１ａ，６１ｂ，６３ａ，６３ｂのみの構成や、第２前後高摩擦部６２，６４よりもクロッチ域１４側に位置する離間部分に更に第３前高摩擦部及び第３後高摩擦部をそれぞれ形成する構成であってもよい。また、本実施形態では、前後ウエスト域１２，１３の両側部２２Ｂ，２３Ｂに高摩擦部６１ａ−６４ｂを形成しているが、少なくとも前後ウエスト域１２，１３のうちの一方のウエスト域において、一方の側部に高摩擦部２０が配置されていればよい。
【００４８】
＜変形例＞
図１２（ａ）〜（ｃ）は、おむつ１０の変形例を示す展開平面図であって、高摩擦部２０の配置例を示す。図１２（ａ）〜（ｃ）に示すおむつ１０において、高摩擦部２０は、平面視において前後ウエスト弾性体３４，３５と重ならないように前後ウエスト弾性体３４，３５の間の離間部分（前後ウエスト弾性体３４，３５の非配置領域）に配置される。
【００４９】
図１２（ａ）のおむつ１０では、環状の高摩擦部２０が縦方向Ｙに複数形成される。具体的には、高摩擦部２０は、前ウエスト域１２に位置する前高摩擦部８１，８２，８３と、後ウエスト域１３に位置する後高摩擦部８４，８５，８６を含み、前高摩擦部８１−８３は、両外側縁１８ｃ間を横方向Ｘに連続して延びており、縦方向Ｙに複数並んで配置され、後高摩擦部８４−８６は、両外側縁１９ｃ間を横方向Ｘに連続して延びており、縦方向Ｙに複数並んで配置されている。前後ウエスト域１２，１３の両側縁部が互いに連結された状態において、前後高摩擦部８１−８６はシーム部２４において互いに連結され、複数の環状の高摩擦部２０が形成される。環状の高摩擦部２０の一部は、平面視において吸液性パネル２６と重なる。図１２（ａ）のおむつ１０では、吸液性パネル２６と重なる部分において、高摩擦部２０が吸液性パネル２６の非肌対向面側に位置しているが、吸液性パネル２６の肌対向面側に位置していてもよい。かかるおむつ１０では、環状の高摩擦部２０が前後ウエスト域１２，１３の広範囲に形成されているため、高摩擦部２０を着用者の手の甲に当てることが容易であって、着用操作におけるずり下がり防止の効果を向上することができる。
【００５０】
図１２（ｂ）のおむつ１０では、前後ウエスト域１２，１３において、横方向Ｘに不連続に延びる（断続的に配置された）高摩擦部２０が縦方向Ｙに複数形成されている。具体的には、高摩擦部２０は、前ウエスト域１２に位置する前高摩擦部８８と、後ウエスト域１３に位置する後高摩擦部８９とを含み、前高摩擦部８８は、両外側縁１８ｃ間を横方向Ｘに不連続に延びて形成されるとともに縦方向Ｙに複数配置されており、後高摩擦部８９は、両外側縁１９ｃ間を横方向Ｘに不連続に延びて形成されるとともに、縦方向Ｙに複数配置されている。かかるおむつ１０では、環状の高摩擦部２０を配置したものと比較して、高摩擦部２０の部材コストを低減することができる。なお、図１２（ｂ）のおむつ１０では、横方向Ｘに不連続に延びる高摩擦部２０の列が縦方向Ｙに複数形成されているが、横方向Ｘに不連続に延びる高摩擦部２０の列が縦方向Ｙに一つ以上形成されていればよく、前後ウエスト域１２，１３のうち、一方のウエスト域にのみ形成される構成であってもよい。また、図１２（ｂ）のおむつ１０では、吸液性パネル２６と重なる部分において、高摩擦部２０が吸液性パネル２６の非肌対向面側に位置しているが、吸液性パネル２６の肌対向面側に位置していてもよい。
【００５１】
図１２（ｃ）のおむつ１０では、環状の高摩擦部２０と、横方向Ｘに不連続に形成される高摩擦部２０とを含む。具体的には、高摩擦部２０は、前ウエスト域１２に位置する外側前高摩擦部９１及び内側前高摩擦部９２ａ，９２ｂと、後ウエスト域１３に位置する外側後高摩擦部９３及び内側後高摩擦部９４ａ，９４ｂとを含む。外側前高摩擦部９１は、第１前ウエスト弾性域３８Ａに位置し、両外側縁１８ｃ間を横方向Ｘに連続して延びており、内側前高摩擦部９２ａ，９２ｂは、第２前ウエスト弾性域３８Ｂであって、吸液性パネル１６の横方向Ｘの外側（両側部２２Ｂ）に位置する。外側後高摩擦部９３は、第１後ウエスト弾性域３９Ａに位置し、両外側縁１９ｃ間を横方向Ｘに連続して延びており、内側後高摩擦部９３ａ，９４ｂは、第２後ウエスト弾性域３９Ｂであって、吸液性パネル１６の横方向Ｘの外側（両側部２３Ｂ）に位置する。
【００５２】
かかるおむつ１０では、平面視において吸液性パネル１６と重なる領域に高摩擦部２０が配置されていないことで、吸液性パネル１６を肌に密着させやすくすることができる。更に、前後ウエスト域１２，１３において、他の領域に比して剛性が高くなる吸液性パネル１６の配置領域に高摩擦部２０が配置されていないことで、おむつ１０の柔軟性を保ち着用感を良好にすることができる。なお、環状の高摩擦部２０（すなわち、外側前後高摩擦部９１，９３）は縦方向Ｙに一以上形成されていればよく、例えば、縦方向Ｙに複数形成されていてもよい。また、両側部２２Ｂ，２３Ｂに位置する高摩擦部２０（すなわち、内側前後高摩擦部９２ａ，９２ｂ，９４ａ，９４ｂ）は、前後ウエスト域１２，１３において縦方向Ｙに一以上形成されていればよく、前後ウエスト域１２，１３のうち、一方のウエスト域にのみ形成される構成であってもよい。
【００５３】
図１２（ａ）〜（ｃ）のおむつ１０では、前後ウエスト弾性体３４，３５の離間部分に前後ウエスト弾性体３４，３５と重ならないように高摩擦部２０が配置されているため、第１実施形態と同様の技術的効果を奏することができる。
【００５４】
本発明に係るおむつ１０を構成する各構成材料には、明細書に記載されている材料のほかに、この種の物品において通常用いられている各種公知の材料を制限なく用いることができる。また、前後ウエスト域１２，１３が別体のシート部材から構成されたものではなく、前後ウエスト域１２，１３とクロッチ域１４とが一体に形成されていてもよい。具体的には、内外層シート３０，３１,３２，３３が、おむつ１０の外形をなす略砂時計状の一枚のシート部材から形成されていてもよい。また、明細書及び特許請求の範囲において、「第１」「第２」及び「第３」の用語は、同様の要素、位置等を単に区別するために用いられる。なお、明細書において平面視とは、図２，４，５，１０，１１及び１２に示す平面図で視た状態をいい、平面視において重なるとは、平面図で視た状態において厚さ方向に重なることをいう。
【００５５】
以上に記載した本発明に関する開示は、少なくとも下記事項に整理することができる。
縦方向Ｙ及び横方向Ｘと、肌対向面及びその反対側に位置する非肌対向面と、前ウエスト域１２及び後ウエスト域１３のうちの一方である第１ウエスト域１２と、前ウエスト域１２及び後ウエスト域１３のうちの他方である第２ウエスト域１３と、第１及び第２ウエスト域１２，１３間に位置するクロッチ域１４とを有するシャーシ１１を備え、第１及び第２ウエスト域１２，１３の両側縁部を連結して画成されるウエスト開口２５及び一対のレッグ開口２６を有するおむつ１において、第１ウエスト域１２には、横方向Ｘへ伸長状態で収縮可能に配置された複数条のウエスト弾性体３４が互いに縦方向Ｙにおいて所与寸法離間して配置されており、第１ウエスト域１２は、肌対向面側において他の領域に比して静摩擦係数の高い高摩擦部２０を有し、高摩擦部２０は、縦方向Ｙにおいて隣接するウエスト弾性体３４間の離間部分に配置され、かつ、ウエスト弾性体３４と平面視において重なっていないことを特徴とする。
【００５６】
上記段落００５５に開示した本発明に係る使い捨て着用物品は、少なくとも下記の実施の形態を含むことができる。
（１）高摩擦部２０は、ウエスト開口縁から所与寸法離間して形成される。
（２）高摩擦部２０のウエスト開口縁からの離間寸法は、３０ｍｍ以上である。
（３）高摩擦部２０は、レッグ開口縁から３０ｍｍ以上離間して形成される。
（４）高摩擦部２０の静摩擦係数は、０．４〜１．２である。
（５）縦方向Ｙにおいて高摩擦部２０に隣接するウエスト弾性体３４ａ，３４ｂのうち、ウエスト開口２５側に位置するウエスト弾性体３４ａの伸長応力は、クロッチ域１４側に位置するウエスト弾性体３４ｂの伸長応力よりも低い。
（６）シャーシ１１は、クロッチ域１４から第１及び第２ウエスト域１２，１３へ延びる吸液性パネル１６を含み、高摩擦部２０は、少なくとも吸液性パネル１６の横方向Ｘの外側に形成される。
（７）ウエスト弾性体３４の離間部分の縦方向Ｙの寸法Ｒ３は、１０ｍｍ以上である。
（８）縦方向Ｙにおいて高摩擦部２０に隣接するウエスト弾性体３４ａ，３４ｂと、高摩擦部２０とは、縦方向Ｙにおいて１．０ｍｍ以上離間している。
【符号の説明】
【００５７】
１０    おむつ（パンツ型の着用物品）
１１    前ウエスト域
１２    後ウエスト域
１３    クロッチ域
１４    シャーシ
１５    弾性ウエストパネル
１６    吸液性パネル
２０    高摩擦部
３４    前ウエスト弾性体（ウエスト弾性体）
３５    後ウエスト弾性体（ウエスト弾性体）
Ｘ    横方向
Ｙ    縦方向
【図１】
0006290728.tif 000002
【図２】
0006290728.tif 000003
【図３】
0006290728.tif 000004
【図４】
0006290728.tif 000005
【図５】
0006290728.tif 000006
【図６】
0006290728.tif 000007
【図７】
0006290728.tif 000008
【図８】
0006290728.tif 000009
【図９】
0006290728.tif 000010
【図１０】
0006290728.tif 000011
【図１１】
0006290728.tif 000012
【図１２】
0006290728.tif 000013